(57)【要約】【課題】尿受け本体の内部に一旦排泄された尿の一部が、その尿受け本体の尿導入口から外部に漏れ出すのを防ぐことのできる尿受け器を提供する。【解決手段】筒状をした尿受け本体の後端１０ｂに設けられた排尿部位周囲を密着させる尿導入口の周縁部１４ａに、尿受け本体１０の内方にカールする尿戻り止め縁１６を延設する。そして、その尿戻り止め縁１６により、尿受け本体１０内側に一旦排泄された尿の一部が、その尿受け本体の尿導入口１４から外部に漏れ出そうとした場合に、その尿受け本体の尿導入口の周縁部１４ａに延設された、尿受け本体１０の内方にカールする尿戻り止め縁１６により、その尿受け本体１０内側に一旦排泄された尿が、その尿受け器本体の尿導入口１４から尿受け器本体１０の外部に漏れ出すのを、防ぐ。【選択図】図１
2006288567.tif 000002
【特許請求の範囲】
【請求項１】
筒状またはそれに近い形状をした尿受け本体の先端が小径に絞られて、その尿受け本体の先端に尿排出用のホース接続部が設けられると共に、その尿受け本体の後端に排尿部位周囲を密着させる尿導入口が設けられた尿受け器であって、
その排尿部位周囲を密着させる尿導入口の周縁部に、尿受け本体の内方にカールする尿戻り止め縁が延設されてなることを特徴とする尿受け器。
【請求項２】
前記尿受け本体を手で支える取っ手が、尿受け本体に付設されてなることを特徴とする請求項１記載の尿受け器。
【発明の詳細な説明】
【技術分野】
【０００１】
本発明は、ベッドや寝床で、寝たまま、座ったまま、または腰掛けたままで、排尿を漏らさずに行うための、尿受け器に関する。
【背景技術】
【０００２】
老齢化に伴う腎機能の低下などに起因して、夜間の就寝時における、小用回数が増加する傾向がある。さらに、老齢化して、病弱となったり、半身障害者となったりすると、小用に困難さが加わって、他人の助けが、必要となる。
その様な場合、他人に迷惑をかけずに、自分で小用を、ベッドや寝床で、寝たまま、座ったまま、または腰掛けたままで、行うことができたら、理想的である。
【０００３】
この小用を、ベッドや寝床で、寝たまま、座ったまま、または腰掛けたままで、行うための、従来周知の器具としては、ガラス製、プラスチック製などの排尿瓶がある。
しかしながら、この排尿瓶は、容量が小さくて、１〜２回の小用を行う毎に、その排尿瓶に溜まった尿を便所等に捨てに行かねばならず、その度に、他人の手を煩わすことになる。
【０００４】
このような排尿瓶の難点を解消するものとしては、特開２０００−２２５１３９号公報記載のような、女性用の排尿受け器が開発されている。この排尿受け器は、ベッドや寝床の脇部に置くことの可能な、容量の大きい尿溜めタンクを備えていて、そのタンクに一昼夜の小用を行うのに十分な量の尿を溜め続けることができる。
【特許文献１】特開２０００−２２５１３９号
【発明の開示】
【発明が解決しようとする課題】
【０００５】
しかしながら、上記の排尿瓶や排尿受け器を用いて、ベッドや寝床で、寝たまま、座ったまま、または腰掛けたままで、小用を行った場合には、排尿行為を不自然で無理な姿勢で行うために、どうしても、尿受け本体の内部に一旦排泄された尿の一部が、その尿受け本体の尿導入口から外部に漏れ出して、寝床を汚す等してしまう難点があった。
【０００６】
本発明は、このような課題を解消するためになされたもので、尿受け本体の内部に一旦排泄された尿が、その尿受け本体の尿導入口から外部に漏れ出して、寝床を汚すのを防ぐことができ、しかも、排尿を手数をかけずに簡単に行える、尿受け器を提供することを目的としている。
【課題を解決するための手段】
【０００７】
このような目的を達成するために、本発明の尿受け器は、筒状またはそれに近い形状をした尿受け本体の先端が小径に絞られて、その尿受け本体の先端に尿排出用のホース接続部が設けられると共に、その尿受け本体の後端に排尿部位周囲を密着させる尿導入口が設けられた尿受け器であって、
その排尿部位周囲を密着させる尿導入口の周縁部に、尿受け本体の内方にカールする尿戻り止め縁が延設されてなることを特徴としている。
【０００８】
このような構成の尿受け器においては、その筒状またはそれに近い形状をした尿受け本体内側に一旦排泄された尿の一部が、その尿受け本体の尿導入口から外部に漏れ出そうとした場合に、その尿受け本体の尿導入口の周縁部に延設された、尿受け本体の内方にカールする尿戻り止め縁がダムの役割をなして、その尿戻り止め縁が尿受け本体の尿導入口から尿受け本体外部に漏れ出そうとする尿を、せき止める。その結果、その尿受け本体内側に一旦排泄された尿の一部が、その尿受け器本体の尿導入口から尿受け器本体の外部に再び漏れ出すのを、防ぐことができる。
【０００９】
本発明の尿受け器においては、前記尿受け本体を手で支える取っ手が、尿受け本体に付設されてなる構造とすると良い。
そうした場合には、その取っ手を手に持って、尿が溜まる等して重くなった尿受け本体を、安定させて容易かつ確実に支えたり、尿受け本体後端の尿導入口を排尿部位周囲に安定させて確実に密着させたりできる。
【発明の効果】
【００１０】
以上説明したように、本発明の尿受け器によれば、その尿受け本体内側に一旦排泄された尿の一部が、その尿受け本体の尿導入口から尿受け本体の外部に漏れ出して、寝床等を汚すのを、確実かつ容易に防ぐことが可能となる。
【発明を実施するための最良の形態】
【００１１】
図１と図２は本発明の尿受け器の好適な実施の形態を示し、図１はその概略構成図、図２はその使用例である。以下に、この尿受け器を説明する。
【００１２】
この尿受け器は、男性用のものであって、男性性器の陰茎先端を挿入する、筒状またはそれに近い形状をした尿受け本体１０の先端１０ａが小径に絞られて、その尿受け本体の先端１０ａに，尿排出用のホース接続部１２が設けられている。
尿受け本体の後端１０ｂには、陰茎の根元に当たる、排尿部位周囲を密着させる尿導入口１４が設けられている。
そして、その排尿部位周囲を密着させる尿導入口の周縁部１４ａに、尿受け本体１０の内方に弧状にカールする尿戻り止め縁１６が延設されていることを特徴としている。
尿受け器は、その全体がプラスチックで形成されていて、その軽量化、取り扱い容易化及び製造容易化が図られている。
【００１３】
図１に示された男性用の尿受け器は、以上のように構成されていて、その使用に際しては、図２に示されたように、そのホース接続部１２にホース２０の一端を接続する。ホース２０の他端は、寝床脇部に置かれた尿溜めタンク３０に導入しておく。そして、尿受け本体１０内側に排泄された尿を、ホース２０内を通して、尿溜めタンク３０に導入して、その尿溜めタンク３０内に溜める。
【００１４】
この尿受け器においては、その尿受け本体１０内側に排泄された尿の一部が、その尿受け本体の尿導入口１４から外部に漏れ出そうとした場合に、その尿受け本体の尿導入口の周縁部１４ａに延設された、尿受け本体１０の内方にカールする尿戻り止め縁１６により、その尿受け本体１０内側に排泄された尿が、尿受け器本体１０の外部に再び漏れ出すのを、防ぐことができる。
【００１５】
図３は本発明の尿受け器の他の好適な実施の形態を示し、図１はその概略構成図、図４はその使用例である。以下に、この尿受け器を説明する。
【００１６】
この尿受け器は、女性性用のものであって、その筒状またはそれに近い形状をした尿受け本体１０が、その女性性器の排尿部位周囲を密着させる尿導入口１４が設けられた尿受け本体１０の後端１０ｂを女性性器の縦長の排尿部位周囲を密着させることが可能なように、縦長の扁平状をしている。そして、その尿受け本体の後端１０ｂに、女性性器の排尿部位周囲を密着させる縦長の尿導入口１４が設けられている。さらに、その尿導入口１４が設けられた尿受け本体の後端１０ｂ下部には、外側に湾曲する顎１８が延設されていて、その顎１８を、女性性器の排尿部位下部周囲からその臀部にかけて広く密着させて押し当てることができる構造をしている。
そして、その排尿部位周囲から臀部にかけて広く密着させる尿導入口の周縁部１４ａに、尿受け本体１０の内方に弧状にカールする尿戻り止め縁１６が延設されていることを特徴としている。
尿受け本体１０の先端１０ａは、男性用の尿受け器と同様に、小径に絞られて、その尿受け本体の先端１０ａに，尿排出用のホース接続部１２が設けられている。
この女性用の尿受け器は、男性用の尿受け器と同様に、その全体がプラスチックで形成されていて、その軽量化、取り扱い容易化及び製造容易化が図られている。
加えて、この女性性用の尿受け器においては、その尿導入口１４が設けられた尿受け本体の後端１０ｂを、女性性器の排尿部位周囲に安定させて容易かつ確実に密着させることが可能なように、尿受け本体１０を手で支える取っ手４０が、尿受け本体１０の上端側壁に延設されている。
【００１７】
図３に示された尿受け器は、以上のように構成されていて、その使用に際しては、男性用の尿受け器と同様にして、図４に示されたように、そのホース接続部１２にホース２０の一端を接続する。ホース２０の他端は、寝床脇部に置かれた尿溜めタンク３０に導入しておく。そして、尿受け本体１０内側に排泄された尿を、ホース２０内を通して、尿溜めタンク３０に導入して、その尿溜めタンク３０内に溜める。
【００１８】
この尿受け器においても、男性用の尿受け器と同様に、その尿受け本体１０内側に排泄された尿一部が、その尿受け本体の尿導入口１４から外部に漏れ出そうとした場合に、その尿受け本体の尿導入口の周縁部１４ａに延設された、尿受け本体１０の内方にカールする尿戻り止め縁１６により、受け本体１０内側に排泄された尿が、尿受け器本体１０の外部に再び漏れ出すのを、防ぐことができる。
【産業上の利用可能性】
【００１９】
本発明の尿受け器は、ベッドや寝床で、寝たまま、座ったままで、または腰掛けたままで、排尿を漏らさずに行うための、尿受け装置の尿受け部分に、広く利用可能である。
【図面の簡単な説明】
【００２０】
【図１】本発明の男性用の尿受け器の構成図である。
【図２】本発明の男性用の尿受け器の使用説明図である。
【図３】本発明の女性用の尿受け器の構成図である。
【図４】本発明の女性用の尿受け器の使用説明図である。
【符号の説明】
【００２１】
１０  尿受け本体
１２  ホース接続部
１４  尿導入口
１６  尿戻り止め縁
２０  ホース
３０  尿溜めタンク
４０  取っ手
【図１】
2006288567.tif 000003
【図２】
2006288567.tif 000004
【図３】
2006288567.tif 000005
【図４】
2006288567.tif 000006